(57)【要約】      （修正有）【課題】金物を用いた、軸組材の接合装置として構造が簡単で、従って、安価な装置を提供する。【解決手段】柱１Ａの側面１Ａ´に受支突子２を突設し、該受支突子を係合する縦溝９を、梁３Ａの前記側面１Ａ´に当接する端面２Ａ´に設ける。縦溝９には前記受支突子２の係合間隙１９を存して相対する一対の補強板１０，１０を収設する。そして、前記受支突子２に掛止する掛止杆７を、前記補強板１０，１０を通じて前記縦溝９と交差させて前記梁３Ａに横設する。【選択図】図１
2004324323.tif 000002
【特許請求の範囲】
【請求項１】
一方の軸組材の側面に受支突子を突設し、該受支突子を係合した縦溝を、他の一方の軸組材の、前記側面に当接する端面に設け、該縦溝に前記受支突子を介して相対して一対の補強板を収設し、該補強板を通じて前記他の一方の軸組材に嵌挿した掛止杆を前記受支突子に掛止した、軸組材の接合装置。
【請求項２】
受支突子を、一方の軸組材を貫通させたボルト杆の先端に螺合したナット材で構成した、請求項１記載の軸組材の接合装置。
【請求項３】
ナット材を、ボルト杆先端に螺合する螺子筒と該螺子筒の一端に設けた頭部とで構成し、頭部を、前記螺子筒側の部分を螺子筒側の一端から次第に拡径する円錐台形状にして設けたテーパ部と、該テーパ部とボルト頭部状の先端部との間に配した鍔部を備えたものとした、請求項２記載の軸組材の接合装置。
【発明の詳細な説明】
【０００１】
【産業上の利用分野】
本発明は、例えば、木造建物における、梁や桁などの横架材（端部）を、柱や胴差などの構造材（梁や桁に対して直交する方向に配する軸組材）に接合するために用いる軸組材の接合装置に関するものである。
【０００２】
【従来の技術】
柱などの構造材に設けた凹部に嵌合して該構造材に締結する基板の表面に、水平方向にして支承板を、垂直方向にして嵌入板をそれぞれ設け、梁などの横架材側に設けたスリットに前記嵌入板を相対的に嵌入させて、前記支承板上に前記横架材の端部を載置し、横架材と前記嵌入材とを組付杆で互いに止着するようにして前記横架材を前記構造材に接合するようにした構造のものがある（例えば、特許文献１）。
【０００３】
【特許文献１】
実開平４−２０５０３号公報
【０００４】
【発明が解決しようとする課題】
前記従来例は、基板の表面に下端側から水平方向にして支承板を、垂直方向にして嵌入板を設けた接合金具を用いての接合のため、接合金具自体に製作上の煩雑さがあり、また、構造材に設けた凹入部に基板を嵌入させて該構造材に締結しなければならない等の締結上（構造材に対する組付け上）の煩雑さもある。
【０００５】
本発明は、前記従来のような製作や取扱い上煩雑な接合金具を用いることなく、接合作業が簡単で、軸組材の所謂金物接合の、簡略化と低コスト化を図ることのできる接合装置を提供することを目的として創案したものである。
【０００６】
【課題を解決するための手段】
一方の軸組材の側面に受支突子を突設し、該受支突子を係合した縦溝を、他の一方の軸組材の、前記側面に当接する端面に設け、該縦溝に前記受支突子を介して相対して一対の補強板を収設し、該補強板を通じて前記他の一方の軸組材に嵌挿した掛止杆を前記受支突子に掛止した構成としたものである。
【０００７】
なお、受支突子を、一方の軸組材を貫通させたボルト杆の先端に螺合したナット材で構成することにより、受支突子を簡単に得られ、また、市販のボルト杆を用いることができるから安価な装置を提供できる。
【０００８】
因みに、受支突子を構成するナット材を、ボルト杆先端に螺合する螺子筒と該螺子筒の一端に設けた頭部とで構成し、頭部を、前記螺子筒側の部分を螺子筒側の一端から次第に拡径する円錐台形状にして設けたテーパ部と、該テーパ部とボルト頭部状の先端部との間に配した鍔部を備えたものとすることにより、掛止杆がテーパ部に掛止されて一方の軸組材側に移動するから、他の一方の軸組材の、一方の軸組材方向へ引き寄せられ、接合状態が堅牢な装置を提供できる。
【０００９】
【発明の実施の形態】
実施形態は、一方の軸組材である柱（胴差でも良い）１Ａ、棟梁１Ｂ或いは軒梁１Ｃの側面１Ａ´，１Ｂ´，１Ｃ´に第一、第二の受支突子２，２´を突設し、該第一、第二の受支突子２，２´を利用して他の一方の軸組材である梁（桁でも良い）３Ａ或いは登り梁３Ｂを前記側面１Ａ´，１Ｂ´，１Ｃ´において柱１Ａ又は棟梁１Ｂ若しくは軒梁１Ｃに接合するようにしたものである。
【００１０】
【第一実施形態】
図１は縦断面図、図２は横断面図、図３は図１の一部拡大図である。
【００１１】
これら図１乃至図３で示す第一実施形態は、柱１Ａと梁３Ａを互いに接合するようにしたもので、柱１Ａの側面１Ａ´に設けた第一、第二の受支突子２，２´は、柱１Ａに設けた貫通孔４にボルト杆５を貫通させてその先端部を前記側面１Ａ´より突出させ、該先端部にナット材６を螺合締付けて構成したものである。そして、各受支突子２，２´，２´は、最上位の受支突子２すなわち、第一受支突子２の直下に一対の第二受支突子２´，２´を縦方向に直列に並べた配置関係にし、それぞれに前記梁３Ａに嵌挿して組付ける第一掛止杆７又は第二掛止杆７´を載置（掛止）するようにしたものである。
【００１２】
ナット材６は、螺子筒６ａと該螺子筒６ａの一端に設けた頭部６ｂとで成り、頭部６ｂを、前記螺子筒６ａ側の部分を螺子筒６ａ側の一端から次第に拡径する円錐台形状にして設けたテーパ部２ａと、該テーパ部２ａとボルト頭部状の先端部６ｂ´´との間に配した鍔部２ｂを備えたものである。
【００１３】
なお、受支突子２，２´（ナット材６）と柱１Ａの前記側面１Ａ´との間には座金８（前記鍔部２ｂより径の大きい円形板状態で成る）を介在させ、ナット材６をボルト杆５の、前記柱１Ａより突出する先端に螺合締め付けて該受支突子２，２´を得る（構成する）際、ナット材６が柱１Ａの側面１Ａ´に滅り込むのを防ぐようにしてある。ボルト杆５の頭部と柱１との間に介在させた座金８´も同様にボルト杆５頭部の柱１Ａへの滅り込みを防止する。
【００１４】
前記梁３Ａは、柱１Ａの前記側面１Ａ´に当接する端面３Ａ´の中央部に前記第一、第二の受支突子２，２´及び座金８を係合して収納するに足る径幅の有る縦溝９を設けてある。
【００１５】
縦溝９は、前記端面３Ａ´側の大径部９ａと該大径部９ａの奥壁９ａ´の両側のそれぞれに梁３Ａの長手方向に沿う切目（スリット）状にして設けた小径部９ｂ，９ｂとで成り、この縦溝９に一対の補強板１０，１０を装置して梁３Ａの端部を補強して、前記掛止杆７，７´を受支突子２，２´に掛止（載置）したときに、掛止杆７，７´に負荷する梁３Ａの荷重に対処するようにしてある。
【００１６】
補強板１０は鋼製の平板体で成り、一側（前記縦溝９の大径部９ａ側の）に柱１Ａ側に設けた受支突子２又は２´に対応するようにして一対三組の第一透孔１１，１１、１１，１１、１１，１１を、他の一側（前記縦溝９の小径部９ｂ側の）に３個の第二透孔１２，１２，１２をそれぞれ上下対称的に設けて、該透孔１１，１２を利用して梁３Ａや受支突子２，２´と組付けるようにしてある。透孔１１，１２の数、位置を上下対称的にしたのは取扱い上の便利さ（方向性が自在であるから）と当該補強板１０の製造コストや在庫管理費の節減を図るためである。
【００１７】
そして、前記梁３Ａの端部の側面には、この補強板１０の一側に設けた各組の第一透孔１１，１１中の上位側のものと一致する位置にして、しかも、縦溝９の大径部９ａと交差させて、第一嵌挿孔１３，１３，１３を設け、該第一嵌挿孔１３，１３，１３中の最下位の第一嵌挿孔１３（便宜上、符号１３ａで示す）の下側には該嵌挿孔１３（１３ａ）と対応する前記第一透孔１１（便宜上、符号１１ａで示す）と前記一組を成す下位側の第一透孔１１（便宜上、符号１１ｂで示す）と一致する位置にして他の第一嵌挿孔１３（便宜上、符号１３ｂで示す）を設ける一方、梁３Ａの前記端部の側面の後端側には前記補強板１０の他の一側側に設けた第二透孔１２，１２，１２と一致する位置にして縦溝９の小径部９ｂに交差させて第二嵌挿孔１５，１５，１５を横設してある。
【００１８】
また、前記補強板１０は、前記第二透孔１２側の一側を縦溝９の小径部９ｂに、第一透孔１１側の他の一側を大径部９ａにそれぞれ配するようにして該補強板１０側の第二透孔１２と梁３Ａ側の第二嵌挿孔１５を一致させ、これらにドリフトピンで構成した組付杆１６を、また、互いに一致させた第一透孔１１と第一嵌挿孔１３同士中の最上位のものにドリフトピンで構成した前記第一掛止杆７をそれぞれ打込み、嵌挿して梁３Ａ端部に固定され、梁３Ａの端部にはこの補強板１０，１０で構成される係合間隙１９が形成され、該係合間隙１９に直交する（横切る）ようにして最上位に位置する第一掛止杆７で配せられ、梁３Ａは第一、第二の受支突子２，２´を備えた前記柱１Ａとの接合可能状態となる（概し、この状態で工場出荷し現場へ搬送する）。
【００１９】
そして、梁１Ａの補強板１０，１０間の係合間隙１９に柱１Ａ側に突設した第一、第二の受支突子２，２´や前記座金８が相対的に係合するようにして梁３Ａを柱１Ａの側面１Ａ´に沿って降下させると、係合間隙１９の上部側に配した第一掛止杆７が最上位の第一突子２のテーパ部２ａに載り、その傾斜によって該第一掛止杆７は降下しつつ柱１Ａ側方向へと移動し、第一掛止杆７を受支突子２に自動的に掛止、接合でき、梁３Ａは柱１Ａ側に引き寄せられ、梁１Ａは最上位の第一突子２に第一掛止杆７を介して受支されて柱１Ａに仮接合され、この状態で、座金８は係合間隙１９に係合、すなわち、補強板１０，１０間に介在して梁３Ａの柱１Ａに対する安定した仮接合状態を得られる。この安定した仮接合状態を得るために、実施形態では第一掛止杆７のテーパ部２ａ（受支突子２）との接触点（荷重点）を中心として、梁３Ａが重心位置の変化により回動（傾斜しようとする動き）しようとしたとき、補強板１０が該座金８，８´に接触してその動きを規制する。従って、座金８，８´の径と間隙１９の幅径は、前記の降下作業の煩雑さを無視すれば、できるだけ同径に近い方が良い。
【００２０】
なお、受支突子２，２´の最も径の大きい部分（実施形態では鍔部２ｂ）を座金８，８´の径より大きくすれば、該部分の外縁が補強板１０に近接して係合間隙１９内に係合されることになって前記安定した仮接合状態を機能することになる。
【００２１】
そして、互いに連通状態にある他の第一透孔１１と第二嵌挿孔１３は第二掛止杆７´を打込み、嵌挿すると、第二掛止杆７´は、第二突子２´のテーパ部２ａに（テーパ縁の傾斜形状により）圧接し、この結果、梁３Ａの柱１Ａ方向への引き寄せが行われ、第二掛止杆７´は梁３Ａに横設、固定され、第二受支突子２´に受支される位置に配され、梁３Ａの荷重を受支突子２´に負荷させ、耐荷重強度を得られる。
【００２２】
また、第二掛止杆７´の打込み操作と相前後して最下位の第一透孔１１（符号１１ｂで示している）および符号１３ｂで示す最下位の第一嵌挿孔１３にドリフトピンで構成した係止杆１８を打込み、嵌挿することにより、梁３Ａは柱１Ａに接合、固定され、この後に、第二掛止杆７´を打込むようにしても良い。
【００２３】
なお、第二受支突子２´（これに対応する第一透孔１１や第一嵌挿孔１３）の数は適宜選択すれば良く、適宜数のものを選択して利用しても良く、また、第二掛止杆７´は、各第二突子２´の全部又は適宜のものに対応させて用いても良い。実施形態では、最下位に受支突子２´に係止杆１８を係止するようにしているが、他の受支突子２，２´部に実施形態と同様に係止杆１８を配するようにしても良いことは勿論である。
【００２４】
【第二実施形態】
図４は縦断面図、図５は横断面図を示し、これら各図で示す第二実施形態は、登り梁３Ｂの上端面３Ｂ´を棟梁１Ｂの側面１Ｂ´に、下端面３Ｂ´´を軒梁１Ｃの側面１Ｃ´にそれぞれ当接するようにして、登り梁３Ｂの端部を棟梁１Ｂを軒梁１Ｃに接合するようにしたもので、登り梁３Ｂと棟梁１Ｂとの接合部および軒梁１Ｃとの接合部に本発明を実施したものである。
【００２５】
この第二実施形態は、第一、第二の突子２，２´を前記の第一実施形態が、棟梁１Ｂや軒梁１Ｃに対応する柱１Ａに貫通させたボルト杆５の先端にナット材６を螺合して構成しているに対し、ボルト杆５の頭部を、前記ナット材６と同様の六角状の先端部６ｂ´´と脚杆（第一実施形態の螺子筒６ａに代る）との間に脚杆側の一端から次第に拡径する円錐台形状にして設けたテーパ部２ａとの間に鍔部２ｂを設けて第一、第二の突子２，２´と成し、第一実施形態のボルト杆５と別体にした座金８をボルト杆５と一体にした点が大きく相違するだけで、同一符号で示す通り、残余の点は第一実施形態と同様である。すなわち、登り梁３Ｂ側の上下端部に補強板１０と第一掛止杆７を第一実施形態同様に組付けておき、棟梁１Ｂや軒梁１Ｃの側面１Ｂ´，１Ｃ´に沿って降下させて、第一掛止杆７を第一受支突子２に掛止して仮接合した後、ただ１個用いた、第一実施形態の最下位の第二突子２´に、対応する第二突子２´に第一実施形態と同様に第二掛止杆７´と係止杆１８を組合わせることにより登り梁３Ｂの棟梁１Ｂや軒梁１Ｃに対する接合状態を得られるのである。
【００２６】
なお、ボルト杆５は棟梁１Ｂや軒梁１Ｃに設けた貫通孔４に貫通させ、先端に座金８´´を介してナット６´´を螺合締付けてあり、第一実施形態がナット材６を用意するだけで市販のボルトを用いることができるに対し、この第二実施形態では頭部側が特殊形状のボルト杆を用いなければならないことになるが、第二実施形態のボルト杆を第一実施形態に適用しても良く、第一実施形態のボルト杆５とナット材６を組合わせた形態のものを第二実施形態の登り梁３Ｂの接合に適用しても良いことは勿論である。
【００２７】
また、補強板１０は、やや菱形を成す（従って、透孔１１，１２の位置関係は上下対称形にならない）が、これは登り梁３Ｂの傾斜に対応するためである。棟梁１Ｂ側の補強板１０と軒梁１Ｃ側の補強板１０は同形状のものを用いることは勿論で、組付杆１６や第二掛止杆７´或いは係止杆１８の数等は第一実施形態と同様、図示実施形態に限る必要のないことは先に述べた通りである。
【００２８】
因みに、第一、第二の各実施形態は、第一掛止杆７を梁３Ａ，３Ｂ（他の一方の軸組材）側に予め組付けておき、該梁３Ａ，３Ｂを柱１Ａや棟梁１Ｂ（一方の軸組材）に沿わせて降下させて第一受支突子２に掛止させるようにしているが、梁３Ａ，３Ｂを柱１Ａは棟梁１Ｂに沿わせて上昇させて梁３Ａ，３Ｂの縦溝９内すなわち補強板１０，１０間に受支突子２，２´を相対的に係合させた後、第一、第二の実施形態でいう第一掛止杆７や第二掛止杆７´を梁３Ａ，３Ｂに孔１１，１３を利用して嵌挿し受支突子２又は２´に掛止させるようにしても良い。このような組付け順を採ることにより梁３Ａ，３Ｂを上方に移動させて柱１Ａや棟梁１Ｂに組付けが可能となるから、例えば、柱１Ａ（一方の軸組材）間に存在する既設の横架材を取替える際に、該既設の横架材の上部側（例えば、階上床など）と無関係に当該横架材の取替え作業を行うことができる。
【００２９】
【発明の効果】
本発明は前記の通りの構成であるから、接合作業が簡単な接合装置を提供できる。
【００３０】
また、受支突子に掛止することによって掛止杆に前記他の一方の軸組材の重量負荷しても、補強板の存在によって耐荷重性を得られ、従って、掛止杆を軸組材の端面に可及的に近接して配することができ、この結果、一方の軸組材側に設けた受支突子の、軸組材側面からの突出量を低減することができる。そして、突出量の低減によって、受支突子自体を小形化でき、この結果、受支突子を係合する、他の一方の軸組材の縦溝も小径にすることができるため加工による軸組材の強度低下を防ぐことができ、総じて、簡単な構造（従って、安価で）で耐久的な軸組材の接合装置を提供することができる。
【図面の簡単な説明】
【図１】縦断面図。
【図２】横断面図。
【図３】図１の一部拡大図
【図４】第二実施形態の縦断面図。
【図５】第二実施形態の横断面図。
【符号の説明】
１Ａ    柱
１Ｂ    棟梁
１Ｃ    軒梁
２      第一受支突子
３Ａ    梁
３Ｂ    登り梁
７      第一掛止杆
９      縦溝
１０    補強板
【図１】
2004324323.tif 000003
【図２】
2004324323.tif 000004
【図３】
2004324323.tif 000005
【図４】
2004324323.tif 000006
【図５】
2004324323.tif 000007